(57)【特許請求の範囲】
【請求項１】
複数の色を含む複数のコンテンツを記憶したコンテンツデータベース（１１）と，
情報入力者に関する情報を記憶した情報入力者記録部（１３）と，
前記情報入力者に行う複数の質問事項を表示するための表示部（１５）と，
前記表示部（１５）が表示したそれぞれの質問事項に対して，前記コンテンツデータベース（１１）に記憶された前記複数のコンテンツから複数個のコンテンツを前記情報入力者に選択させ，前記質問事項に対する回答として，入力するための回答入力部（１７）と，
前記回答入力部（１７）が入力した回答を記憶する回答記憶部（１９）と，
前記回答記憶部（１９）が記憶した回答に基づいて，前記質問事項と回答とを分類する分類部（２１）と，を有し，
前記質問事項のそれぞれは，１つのキーワードを有しており，
前記回答記憶部（１９）は，前記情報入力者に関する情報と関連して，前記それぞれのキーワードと前記複数の選択されたコンテンツとを記憶し，
前記分類部（２１）は，前記情報入力者に関する情報，前記それぞれのキーワード及び前記複数の選択されたコンテンツを用いて，前記情報入力者の属するグループについて，前記それぞれのキーワードと関連したコンテンツを求める，
システムにおいて，
対象物を撮影する撮影部（３１）と，
前記撮影部（３１）が撮影した対象物に含まれる色とそれぞれの色の割合を分析する色分析部（３３）と，
前記対象物に関するターゲット層情報及び前記対象物に関するキーワードを入力する対象物情報入力部（３５）と，をさらに有し，
前記対象物に関するキーワードは，前記複数の質問事項に含まれるキーワードのいずれかであり，
前記分類部（２１）は，
前記対象物に関するターゲット層に含まれる情報入力者の前記対象物に関するキーワードを含む質問事項の回答に含まれる色のパターンと，前記色分析部（３３）が分析した前記対象物の色のパターンとを比較し，
前記質問事項の回答に含まれる色のパターンと前記対象物の色のパターンとが一致又は類似する場合には，前記質問事項が有するキーワードを，前記対象物に関連するキーワードとして出力し，
前記対象物の色のうち，前記コンテンツデータベース（１１）に記憶されていない色が存在している場合には，前記コンテンツデータベース（１１）に記憶されていない色を，前記対象物に関するキーワードと関連付けて，前記コンテンツデータベース（１１）に新たに記憶する
システム。
【発明の詳細な説明】
【技術分野】
【０００１】
本発明は，選択したコンテンツに基づいて潜在的な感性を把握する感性マーケティングシステムに関するものである。
【背景技術】
【０００２】
特開２００６−７２５５６号公報には，文章中に含まれる句読点に着目して登録者をグループ分けするシステムが開示されている。このシステムは，あるグループに含まれる人々の性質を適切に把握できるとされている。
【０００３】
このシステムのようにターゲットとなる人々の性質を適切に把握することは，広告やマーケティングを行う上で重要である。たとえば，マーケティング担当者とマーケティング対象とに性別や年齢の相違点がある場合，担当者の感性に基づいた広告やマーケティングが，必ずしも対象者に受け入れられない。
【０００４】
近年，商取引がグローバル化し，国際商取引が盛んになっている。すると，ある国の者の感性に基づいて制作した広告や商品は，他の国では受け入れられないという問題もある。
【先行技術文献】
【特許文献】
【０００５】
【特許文献１】特開２００６−７２５５６号公報
【発明の概要】
【発明が解決しようとする課題】
【０００６】
そこで，本発明は，ターゲットとなる層に含まれる人々の感性を適切に把握できるシステムを提供することを目的とする。
【０００７】
本発明は，さらにある対象物とターゲットとなる層との感性のずれを評価できるシステムを提供することを目的とする。  
【課題を解決するための手段】
【０００８】
本発明は，基本的には，あるキーワードと関連して，複数のコンテンツを選択させることで，ターゲットとなる層の感性パターンを把握できるという知見に基づくものである。
【０００９】
本発明の第１の側面は，９つのキーワードと，それぞれのキーワードに基づいて選択させた３つの色に基づく感性マーケティングシステムに関する。
【００１０】
本発明者は，特に色に関する感性は，ヒトの属する層（グループ）によって大きく異なることを見出した。その人の属する層は，例えば，性別，年齢，地域，収入及び身分といった各人の情報に基づいて分類できる。そして，本発明者は，実際に長年にわたり複数のデータを取得し，グループ化と傾向を調査した。その結果，９つのキーワードと，それぞれのキーワードに基づいて選択させた３つの色を選択させた場合に，人々の感性パターンが最もよく現れることを見出した。本発明は，このような本発明者の長年の実験に基づくものである。
【００１１】
本発明の第１の側面は，感性マーケティングシステムに関する。このシステム１は，複数の情報入力者から得た回答をもとに，人の属する層におけるあるイメージと関連した色情報を得ることができるシステムである。
【００１２】
そして，このシステム１は，コンテンツデータベース１１と，情報入力者記録部１３と，表示部１５と，回答入力部１７と，回答記憶部１９と，分類部２１とを有する。そして，表示部１５が表示する９つの質問事項は，それぞれ１つのキーワードを有している。具体的な質問の例は，あるキーワードから連想される色を選択させるものである。そして，複数の色が，コンテンツデータベース１１から読み出されて表示部１５に表示される。そのため，情報入力者は，表示される複数の色から，キーワードから連想される３つの色を選択することで，あるキーワードに関連する色を回答することができる。そして，回答記憶部１９は，情報入力者に関する情報と関連して，それぞれのキーワードと３つの色を記憶する。そして，分類部２１は，情報入力者に関する情報，それぞれのキーワード及び３つの選択された色を用いて，情報入力者の属するグループについて，それぞれのキーワードと関連した色を求める。
【００１３】
本発明のシステム１は，上記のような構成を採用するため，適切にあるグループにおいて，あるイメージと関連した色及び色パターンを把握できる。
【００１４】
本発明の第２の側面は，上記した第１の側面のシステムを一般化したシステムに関する。        
【００１５】
すなわち，本発明の第２の側面は，複数のコンテンツを選択させることで，あるグループに属する者があるキーワードと関連して選択するコンテンツ及びコンテンツのパターンを提供するものである。
【００１６】
本発明の第２の側面は，選択させたコンテンツに基づいて感性分析を行うためのシステムに関する。そして，このシステム１は，コンテンツデータベース１１と，情報入力者記録部１３と，複数の質問事項を表示する表示部１５と，回答入力部１７と，回答記憶部１９と，分類部２１とを有する。
【００１７】
そして，回答記憶部１９は，情報入力者に関する情報と関連して，それぞれの質問事項に関するキーワードと複数の選択されたコンテンツとを記憶する。分類部２１は，情報入力者に関する情報，それぞれのキーワード及び複数の選択されたコンテンツを用いて，情報入力者の属するグループについて，それぞれのキーワードと関連したコンテンツを求める。
【００１８】
本発明の第２の側面の好ましい態様は，さらに対象物を撮影する撮影部３１と，撮影部３１が撮影した対象物に含まれる色とそれぞれの色の割合を分析する色分析部３３と，対象物に関するターゲット層情報及び前記対象物に関するキーワードを入力する対象物情報入力部３５とを有するものである。そして，この態様のシステムは，分類部２１が，対象物に関するターゲット層に含まれる情報入力者の対象物に関するキーワードを含む質問事項の回答に含まれる色と，色分析部３３が分析した対象物の色とを比較して，比較結果を出力する。
【発明の効果】
【００１９】
本発明によれば，複数の者にコンテンツを選択させることで，ターゲットとなる層に含まれる人々の感性を適切に把握できるシステムを提供できる。
【００２０】
本発明によれば，ある対象物に含まれる色を分析し，その対象物のイメージと，ターゲットとなる層から得た回答に示される色によって示される感性のずれを評価できる。  
【図面の簡単な説明】
【００２１】
【図１】図１は，本発明のシステムの基本構成例を示すブロック図である。
【図２】図２は，コンテンツデータベースが記憶する色の情報例を示す図である。
【図３】図３は，本実施例で用いた９つのキーワード及びその関係を示す図である。
【図４】図４は，９つのキーワード間の空間配置例を示す。
【図５】図５は，実際に１９人の被験者に，９つのキーワードから連想される色を選択させた結果を示す。
【図６】図６は，浅草寺の山門の図面に替わる写真である。
【図７】図７は，色分析の結果を示す図である。
【図８】図８は，色の割合を示す図である。
【図９】図９は，９つのキーワードの分類基準を示す。
【図１０】図１０は，複数の自動車の感性位置を示す。
【図１１】図１１は，各キーワードと関連して選択されたケーキ画像を示す。
【図１２】図１２は，紙面により行ったアンケート表を示す。
【発明を実施するための形態】
【００２２】
以下，本発明を実施するための形態について説明する。図１に示されるように本発明のシステム１は，基本的には，コンテンツデータベース１１と，情報入力者記録部１３と，表示部１５と，回答入力部１７と，回答記憶部１９と，分類部２１と，を有する。
【００２３】
本発明のシステム１は，通常，コンピュータにより実装される。本発明のシステム１は，サーバとクライアントとを含むサーバ・クライアントシステムとして実装されてもよい。また，コンピュータは，スタンドアロンタイプのものに限られない。コンピュータは，携帯端末に実装されたものであってもよい。携帯端末の例は，携帯電話，携帯型パーソナルコンピュータ，ＰＤＡ，及びｉｐｏｄ（登録商標）である。
【００２４】
本発明のコンピュータは，入出力装置，演算装置，制御装置及び記憶装置を有している。そして，各要素はバスなどで接続されている。コンピュータは，このような構成を採用することで，情報の授受を行うことができるようにされている。また，記憶装置のうちのメインメモリには，制御プログラムを記憶したＣＤ−ＲＯＭなどのコンピュータ読み取り可能な情報記録媒体が格納されている。そして，入力装置から情報が入力されると，制御部は，適宜制御プログラムを読み出して，制御プログラムの指令に従い，適宜記憶装置に記憶された情報を読み出し，演算装置にて演算を行う。そして，演算結果を適宜記憶装置に記憶し，出力装置から出力する。
【００２５】
コンテンツデータベース１１は，複数のコンテンツを記憶したデータベースである。このデータベースに記憶されたコンテンツは，後述する表示部に表示される。コンテンツ数が少ない場合は全てのコンテンツを一度に表示されてもよい。また，コンテンツ数が多い場合は，コンテンツをツリー構造に分類して，コンテンツを順次選択できるようにしてもよい。
【００２６】
コンテンツデータベース１１が記憶するコンテンツの例は，複数の色である。図２は，コンテンツデータベースに含まれる色の例である。図２に示されるように，コンテンツデータベースに含まれる色は，１００色以上（１０００色以下）の色であることが好ましい。複数の色は，例えば，色相，彩度及び明度のような色の指標によって分類され整理される。本発明者が長年にわたり実験を行った結果，それぞれの人は通常限られた色しか使用しない。それにもかかわらず，各人が使用する色は微妙に異なっている。そのため，質問の回答として選択させる色は，１００色以上である場合に，より適切な色分析を行うことができる。
【００２７】
なお，ある地域について分析する場合，その地域に特異的な物の色を分析して，色相，彩度及び明度を含む色情報が近い色の付近に分析した色を追加することが望ましい。特異的な色の例は建物，食器，及び衣服である。たとえば，歴史的建造物が多い地方に住む者は，漆による朱色を日常的に目にしている。そして，その漆による朱色がその建物のイメージと合わさってあるイメージに関する色として潜在的に記憶される。このような色がその地方に住む者の感性といえる。例えば，日本人であれば，誰でも目にしたことのある桜，富士山，及び日本人の黒髪といった写真から色情報を抽出して，コンテンツデータベースに含まれる色に加える。このようにすることで色分析を適切に行うことができることとなる。
【００２８】
コンテンツデータベース１１が記憶するコンテンツの例は，複数の画像である。複数の画像から，いくつかの画像を選択させることで，あるイメージに関する画像イメージを提供できる。
【００２９】
コンテンツデータベース１１が記憶するコンテンツの例は，複数の単語である。あるキーワードと関連して複数の単語を選択させることで，あるイメージに関連する単語群を把握できる。
【００３０】
情報入力者記録部１３は，情報入力者に関する情報を記憶した記憶部である。情報入力者に関する情報の例は，年齢及び性別である。これにより，年齢層と性別により人をグループ化できる。情報入力者に関する情報の例は，年収である。年収は商品の購買力に大きく寄与する。このため，年収情報を用いることでより適切にマーケティングできることとなる。情報入力者に関する情報の別の例は，身分である。身分の例は，公務員，会社役員，自営業，サラリーマン，専門職，及び学生である。情報入力者記録部１３は，情報入力者のＩＤとともに，各種情報を記憶することが好ましい。
【００３１】
情報入力者に関する情報の別の例は，国籍である。国籍に関する情報があるので，本発明のシステムを用いることで，たとえば，ある企業が海外に進出する際に，その国の国民が潜在的に有している感性を把握できる。この際，国籍に関する情報を用いて，表示部に表示される色を増やしてもよい。この場合，コンテンツデータベースには，国情報と関連した色が記憶されている。そこで，情報入力者がコンピュータに入力した国籍を読み取って，コンテンツデータベースからその国と関連して記憶されている色を読み出し，通常表示部に表示される色に加える。
【００３２】
表示部１５は，情報入力者に行う複数の質問事項を表示するための要素である。複数の質問事項はたとえば９つの質問事項である。そして，質問事項のそれぞれは，１つのキーワードを有している。表示部１５は，通常モニタである。
【００３３】
回答入力部１７は，表示部１５が表示したそれぞれの質問事項に対して，コンテンツデータベース１１に記憶された複数のコンテンツから複数個のコンテンツを情報入力者に選択させ，質問事項に対する回答として，入力するための要素である。例えば，コンピュータが，キーボードやマウスを有する場合，これらのポインティングデバイスを用いてコンピュータに入力された指示情報に基づいて，回答がコンピュータに入力される。
【００３４】
回答記憶部１９は，回答入力部１７が入力した回答を記憶するための記憶部である。回答記憶部１９は，情報入力者に関する情報と関連して，それぞれのキーワードと複数の選択されたコンテンツとを記憶する。
【００３５】
分類部２１は，回答記憶部１９が記憶した回答に基づいて，質問事項と回答とを分類する。分類部２１は，情報入力者に関する情報，それぞれのキーワード及び複数の選択されたコンテンツを用いて，情報入力者の属するグループについて，それぞれのキーワードと関連したコンテンツを求める。
【００３６】
分類部２１は，情報入力者に関する情報を用いて，情報入力者の属するグループを求め，  情報入力者の属するグループに含まれる複数の情報入力者の回答を用いて，それぞれのキーワードと関連したコンテンツの傾向を求める。
【００３７】
次に，本発明のシステム１の動作例について説明する。以下説明する例は，複数の情報入力者から得た回答をもとに，人の属する層におけるあるイメージと関連した色情報を得ることができるシステムである。
【００３８】
このシステム１は，コンテンツデータベース１１に複数の色情報が分類されて記憶されている。また，コンテンツデータベース１１には，ある地方やある国と関連して，通常表示部に表示されない色をも含んでいてもよい。また，情報入力者記録部１３には，既に質問の回答を回収した複数の情報入力者に関する情報が入力されている。
【００３９】
新たな情報入力者が質問に回答する場合，表示部が情報入力者に関する情報を入力する画面を表示する。この画面には，たとえば，氏名，性別，生年月日，収入，及び身分に関する情報が含まれる。
【００４０】
情報入力者が，キーボートを用いて必要な情報を入力する。すると，コンピュータは，入力された情報を受け取り，新たなＩＤを情報入力者に割り当てる。それとともに，このＩＤと関連して，氏名，性別，生年月日，収入，及び身分に関する情報を，情報入力者記録部１３に記憶する。これにより，コンピュータは，情報入力者記録部１３を更新する。
【００４１】
その後，コンピュータは，記憶部から情報入力者に行う複数の質問事項を読み出す。そして，コンピュータは，読み出した質問情報を表示部１５に表示する。
【００４２】
質問事項の例は，キーワード「素」から連想される色を３色選択せよというものである。そして，表示部１５には，コンテンツデータベース１１に格納された色情報が表示される。
【００４３】
情報入力者は，表示部１５に表示された色から，そのキーワード「素」に関連する３つの色を，マウスを用いて選択する。表示部１５に表示された色にはそれぞれ色ＩＤが振られている。すると，情報入力者に選択された色に関する情報である色ＩＤがコンピュータに入力される。
【００４４】
コンピュータは，この回答された色ＩＤを，情報入力者のＩＤとともに質問ＩＤと関連して回答記憶部１９に記憶させる。
【００４５】
このように，９つの質問を行い，順次質問ＩＤとともに，回答された色ＩＤを回答記憶部１９に記憶させる。このようにしてコンピュータは，回答記憶部１９の記録情報を更新する。
【００４６】
分類部２１は，質問ＩＤ毎に，回答を分類する。たとえば，３つの色の色相，彩度及び明度のうちいずれか又は２つ以上を用いて，回答パターンを分類する。分類の例は，３つの色が全て赤みのある色であるパターン，３つの色が全て彩度の高い色であるパターンである。
【００４７】
例えば，ある企業が，２０歳〜２５歳の女性をターゲットとして，素，優，及び品にイメージされる製品を製造販売しようとしたとする。すると，コンピュータに，上記の情報が入力される。
【００４８】
すると，分類部２１は，情報入力者として，２０歳〜２５歳，及び女性に該当する情報入力者を選択する。そして，そのグループに含まれる情報入力者の回答のうち，素，優，及び品のそれぞれについて選択された３つの選択された色の集合を呼び出す。そして，分類部２１は，そのグループに含まれる回答情報をパターン化する。それぞれの色には，色ＩＤが付されている。そして，それぞれの色は，図２の表に表示される位置を基本とした座標が割り当てられている。例えば，この座標値を用いることで，３つの色をパターン化することができる。パターン化の例は，色相が一色の領域内（たとえば，ｘ座標がある一定の範囲内）にあるもの，２つの色相がある一色の領域内に存在し，残りがある色相に含まれるもの，彩度及び明度が一定の範囲であるものである。
【００４９】
本発明の好ましい態様は，上記のシステムであって，対象物を撮影して，その対象物に込められたイメージと，その対象物に対してターゲット層が持つと考えられるイメージの相違を評価するものである。
【００５０】
このシステムは，先に説明した要素に加えて，撮影部３１と，色分析部３３と，対象物情報入力部３５とを有する。この装置の基本構成は，たとえば，特許４２４２９２２号公報などの色診断装置に開示されたものを適宜採用できる。
【００５１】
すなわち，撮影部３１は，対象物を撮影するための装置である。撮影部３１の例は，ＣＣＤカメラである。撮影部３１は，画像を読取り，入力画像を得る手段である。撮影部３１は，カラー画像を取得できるものであれば特に限定されない。撮影部３１の例は，カラースキャナ，ｉ１Ｐｒｏ（登録商標），デジタルカメラである。また，撮影部３１は，ＣＡＤデータを装置内に入力できるものであってもよい。この場合，たとえば，イラストレータ（登録商標）などで作成した，画像データを受信する手段が，撮影部３１として機能する。
【００５２】
色分析部３３は，撮影部３１が撮影した対象物に含まれる色とそれぞれの色の割合を分析するための要素である。色分析部３３は，入力画像がコンピュータグラフィックスで作成されている場合は，画像情報を分析することにより入力画像をラインごとに掃引して色相や輝度を分析するものである。たとえば，入力画像をラインごとに掃引し，輝度の変化が一定以上の場合に別領域と判断すればよい。また，入力画像をラインごとに掃引し，色合いが大きく変化した場合に，別領域と判断してもよい。そして，入力画像を領域分けした後に，その領域ごとの色を記憶する。この領域に含まれる複数のピクセルは，光や影の影響を受けて色彩や輝度が変化していることがある。たとえば，領域に含まれる色彩や輝度の平均値をその領域の色とすればよい。
【００５３】
対象物情報入力部３５は，対象物に関するターゲット層情報及び対象物に関するキーワードをコンピュータに入力するための装置である。このシステムでは，コンテンツデータベース１１が，複数の色を記憶するものである。
【００５４】
たとえば，この例では，ある対象につき，趣というイメージを持っており，ターゲットは４０才から６０才の男性であり，年収１０００万円以上であったとする。この例では，対象物に関するキーワードは，趣である。この趣に関して，回答記憶部１９には，複数の回答が記憶されている。
【００５５】
コンピュータは，入力されたターゲット層に関する情報を用いて，ターゲット層に含まれる情報入力者群を選択する。そして，回答記憶部１９から，選択された情報入力者の回答を読み出す。そして，読み出した回答を用いて，色パターンを求める。
【００５６】
そして，求めた色パターンと，対象物を分析した色パターンとを比較する。このようにして，対象物の色が，ターゲットと一致しているか否か判断することができる。
【実施例１】
【００５７】
次に，実施例を用いて本発明を具体的に説明する。しかしながら，本発明は，実施例に限定されるものではない。
【００５８】
図３は，本実施例で用いた９つのキーワード及びその関係を示す図である。すなわち，この実施例では，キーワードとして，愛，素，優，楽，趣，品，華，格，及び理の９つを選択した。そして，この９つを感性分類とした。
【００５９】
図４は，９つのキーワード間の空間配置例を示す。すなわち，各キーワードの近接度を求める際に，それぞれのキーワードに座標を割り当てた。この実施例では，そのように割り当てた空間座標と回答を用いて，回答をパターン化した。
【００６０】
図５は，実際に１９人の被験者に，９つのキーワードから連想される色を選択させた結果を示す。各人には，それぞれのキーワードに関連して３つの色を選択させた。なお，この実験では，各人に１００色から１２０色の範囲の色を提供した。
【００６１】
各キーワードに関連して選択させた３つの色には，明らかな傾向が見られた。そこで，３つの色の色ＩＤから，データベース上の座標を求めた。その上で，求めた座標値を用いて，３つの色のパターニングを行った。
【実施例２】
【００６２】
次に，浅草寺の山門を色分析した。
【００６３】
図６は，浅草寺の山門の写真である。この写真をコンピュータが取り込んだ。そして，コンピュータに写真を表示させた。その上で，色解析領域を指定し，その範囲に含まれる色情報を分析した。
【００６４】
この実施例では，山門を対象物とした。そこで，写真から背景を取り除く演算を行い，山門のみの部分を抽出し，色分析を行った。写真から背景を取り除く演算は，画像データの各画素を行毎にスキャニングして，対象物の輪郭を把握し，対象物の外側部分を背景とした。
【００６５】
図７は，色分析の結果を示す図である。図８は，色の割合を示す図である。山門の色分析データを，回答記憶部が記憶した回答パターンと比較した。すると，山門の色分析の結果のパターンと，回答記憶部が記憶した華，格，品及び理を所定の割合で合わせた色パターンとよく類似したパターンであることが分かった。すなわち，日本人全体において，山門について，華，格，品及び理というイメージを有するものであることが分かった。
【００６６】
なお，色分析の結果，もともとのコンテンツデータベース１１に含まれない色が存在した。このため，色相，彩度及び明度について，図２の表における座標を求め，コンテンツデータベース１１に，日本及び浅草との国籍・地域キーワードと関連して，求めた座標値と，新たな色に関する情報を記憶した。
【実施例３】
【００６７】
次に，複数の車が，どのような感性とフィットしているか検証を行った。
【００６８】
図９は，９つのキーワードの分類基準を示す。先に説明した通り，９つのキーワードのそれぞれには，色パターンが設定されている。
【００６９】
実際に複数の車を撮影して，それぞれの車に含まれる色を分析することで，それぞれの車の感性位置を検証した。その結果を図１０に示す。図１０に示されるように，本発明のシステムを用いることで，対象物がどのようなキーワードと関連した位置に存在するか評価できることが分かった。この評価の際には，それぞれのキーワードと関連した色パターンと，対象物の色パターンとを比較した。そして，それぞれのキーワードのどの色パターンをどの程度の割合で組み合わせると，対象物の色となるかを求めた。そして，あらかじめ記憶されていた各キーワードの座標と，各キーワードの割合に関する情報を用いて，対象物の座標値を求めた。
【実施例４】
【００７０】
次に，コンテンツデータベースに複数のケーキの画像を記憶させた。その上で，愛，素，優，楽，趣，品，華，格，及び理のそれぞれのイメージと近いケーキ画像を３つ選択させた。
【００７１】
図１１は，各キーワードと関連して選択されたケーキ画像を示す。図１１に示されるように，キーワードによって選択されるケーキ画像が異なることが分かる。
【実施例５】
【００７２】
次に，コンテンツデータベースに，複数の単語を記憶させた。その上で，愛，素，優，楽，趣，品，華，格，及び理のそれぞれとイメージの近い単語を１０個選択させた。
【００７３】
図１２は，紙面により行ったアンケート表を示す。図１２に示される例では，各キーワードに関連して，１０個の単語を選択させたものである。その結果は，先に行った分析例と関連させて，回答情報記憶部に記憶させた。すると，色分析を行うことで，その色と関連した単語をも表示できることが分かる。
【産業上の利用可能性】
【００７４】
本発明は，感性マーケティングを行うシステムに関する。よって，本発明は，広告業やＩＣＴ産業において利用されうる。  
【符号の説明】
【００７５】
11 コンテンツデータベース
13 情報入力者記録部
15 表示部
17  回答入力部
19  回答記憶部
21  分類部
31  撮影部
33  色分析部
35  対象物情報入力部
【図１】
0005622193.tif 000002
【図２】
0005622193.tif 000003
【図３】
0005622193.tif 000004
【図４】
0005622193.tif 000005
【図５】
0005622193.tif 000006
【図６】
0005622193.tif 000007
【図７】
0005622193.tif 000008
【図８】
0005622193.tif 000009
【図９】
0005622193.tif 000010
【図１０】
0005622193.tif 000011
【図１１】
0005622193.tif 000012
【図１２】
0005622193.tif 000013